(57)【要約】【課題】連続焼鈍炉の炉内にあるラジアントチューブの交換を行う際に、交換対象となった多数のラジアントチューブの交換を短時間で行うことができるラジアントチューブ交換装置を提供する。【解決手段】連続焼鈍炉７において、炉内のラジアントチューブ４を交換する際に、連続焼鈍炉７のロール非駆動側（ＯＰ側）にフックを位置させた天井クレーン８に加えて、連続焼鈍炉７のロール駆動側（ＤＲ側）の炉上部にラジアントチューブ搬送専用のホイスト１（ホイストレール２、ホイストワイヤフック３）を設置するとともに、連続焼鈍炉７のロール駆動側（ＤＲ側）とロール非駆動側（ＯＰ側）のそれぞれの炉側部近傍に、取り外された使用済みのラジアントチューブ４および取り付ける交換用のラジアントチューブ４を収納する移動式縦置きラック５（移動用コロ６）を設置する。【選択図】図１
2014009875.tif 000002
【特許請求の範囲】
【請求項１】
連続焼鈍炉において、炉内のラジアントチューブを交換する際に用いるラジアントチューブ交換装置であって、炉上部に設置されてラジアントチューブの搬送を行うホイストを備えていることを特徴とする、連続焼鈍炉におけるラジアントチューブ交換装置。
【請求項２】
取り外されたラジアントチューブおよび取り付けるラジアントチューブを収納する移動式のラックを備えていることを特徴とする請求項１に記載の連続焼鈍炉におけるラジアントチューブ交換装置。
【発明の詳細な説明】
【技術分野】
【０００１】
本発明は、連続焼鈍炉において、ラジアントチューブを交換するためのラジアントチューブ交換装置に関するものである。
【背景技術】
【０００２】
通常、連続焼鈍炉の加熱炉の炉内には、鋼帯を加熱するために非常に多くのラジアントチューブ式加熱装置が設置されており、定期的なメンテナンスにおいて、多数の使用済のラジアントチューブを新品や修理品等と交換（取り外し、取り付け）する必要がある。
【０００３】
このようなラジアントチューブの交換を行う際には、これまで、交換作業の一部に天井クレーンを利用しているが、一度に多数のラジアントチューブの交換作業を行う場合、天井クレーンを利用する作業工程が重なって待ち時間が生じてしまい、交換対象となった全てのラジアントチューブの交換が終了するまでに多大な時間が掛かっている。
【０００４】
これに対して、特許文献１では、炉内のラジアントチューブを交換（取り外し、取り付け）する際の交換治具等が提案されており、ラジアントチューブの交換に要する作業時間を短縮することが可能になった。
【先行技術文献】
【特許文献】
【０００５】
【特許文献１】特開平０４−１９４５０６号公報
【発明の概要】
【発明が解決しようとする課題】
【０００６】
しかしながら、上記特許文献１に記載の技術では、ラジアントチューブの交換に要する作業時間を短縮することが可能になったが、天井クレーンを利用する作業工程の重なり（天井クレーンの干渉）を抜本的に回避するまでには至っていない。
【０００７】
本発明は、上記のような事情に鑑みてなされたものであり、連続焼鈍炉の炉内にあるラジアントチューブの交換を行う際に、交換対象となった多数のラジアントチューブの交換を短時間で行うことができるラジアントチューブ交換装置を提供することを目的とするものである。
【課題を解決するための手段】
【０００８】
上記課題を解決するために、本発明は以下の特徴を有する。
【０００９】
［１］連続焼鈍炉において、炉内のラジアントチューブを交換する際に用いるラジアントチューブ交換装置であって、炉上部に設置されてラジアントチューブの搬送を行うホイストを備えていることを特徴とする、連続焼鈍炉におけるラジアントチューブ交換装置。
【００１０】
［２］取り外されたラジアントチューブおよび取り付けるラジアントチューブを収納する移動式のラックを備えていることを特徴とする前記［１］に記載の連続焼鈍炉におけるラジアントチューブ交換装置。
【発明の効果】
【００１１】
本発明を用いることによって、連続焼鈍炉の炉内にあるラジアントチューブの交換を行う際に、多数のラジアントチューブの交換を短時間で行うことができる。
【図面の簡単な説明】
【００１２】
【図１】本発明の一実施形態を示す正面図である。
【図２】本発明の一実施形態を示す側面図である。
【発明を実施するための形態】
【００１３】
本発明の一実施形態を図面に基づいて説明する。
【００１４】
図１は、本発明の一実施形態を示す正面図であり、図２は、本発明の一実施形態を示す側面図である。
【００１５】
図１、図２に示すように、この実施形態においては、連続焼鈍炉７において、炉内のラジアントチューブ４を交換する際に、連続焼鈍炉７のロール非駆動側（ＯＰ側）にフックを位置させた天井クレーン８に加えて、連続焼鈍炉７のロール駆動側（ＤＲ側）の炉上部にラジアントチューブ搬送専用のホイスト１（ホイストレール２、ホイストワイヤフック３）を設置するとともに、連続焼鈍炉７のロール駆動側（ＤＲ側）とロール非駆動側（ＯＰ側）のそれぞれの炉側部近傍に、取り外された使用済みのラジアントチューブ４および取り付ける交換用のラジアントチューブ４を収納する移動式縦置きラック５（移動用コロ６）を設置するようにしている。
【００１６】
そして、ラジアントチューブ４の交換（使用済みラジアントチューブの取り外し、交換用ラジアントチューブの取り付け）を行うに際して、ロール駆動側（ＤＲ側）に設置したラジアントチューブ搬送専用ホイスト１を用いる場合は、以下のような手順で行う。
【００１７】
（１）使用済みラジアントチューブの取り外し
（Ｓ１１）予め、ロール駆動側（ＤＲ側）の炉上部にホイスト１（ホイストレール２、ホイストワイヤフック３）を設置するとともに、ロール駆動側（ＤＲ側）の炉側部近傍（ホイスト１で吊り下げできる位置）に移動式縦置きラック５を設置する。
【００１８】
（Ｓ１２）ラジアントチューブ式加熱装置から取り外されて架構デッキ９に仮置きされている使用済みラジアントチューブをホイスト１によって架構デッキ９から取り出す。
【００１９】
（Ｓ１３）ホイスト１によって架構９から取り出した使用済みラジアントチューブ４をそのままホイスト１によって吊り下げ、空の縦置きラック５に収納する。
【００２０】
（Ｓ１４）ホイスト１と使用済みラジアントチューブ４を分離する。
【００２１】
（２）交換用ラジアントチューブの取り付け
（Ｓ２１）予め、交換用ラジアントチューブ４を移動式縦置きラック５に収納し、その移動式縦置きラック５をロール駆動側（ＤＲ側）の炉側部近傍（ホイスト１で吊り上げできる位置）に設置する。
【００２２】
（Ｓ２２）移動式縦置きラック５に収納されている交換用ラジアントチューブ４をホイスト１によって吊り上げる。
【００２３】
（Ｓ２３）ホイスト１によって交換用ラジアントチューブ４をラジアントチューブ式加熱沿装置に取り付ける高さ位置まで引き上げたら、そのままホイスト１によって架構デッキ９へ持ち込む。
【００２４】
（Ｓ２４）ホイスト１と交換用ラジアントチューブ４を分離する。その後、その交換用ラジアントチューブ４を使用済みラジアントチューブ４が取り外されたラジアントチューブ式加熱装置に取り付ける。
【００２５】
このようにして、この実施形態においては、ロール非駆動側（ＯＰ側）にフックを位置させた天井クレーン８に加えて、ロール駆動側（ＤＲ側）にラジアントチューブ搬送専用のホイスト１を設置することによって、非駆動側（ＯＰ側）とロール駆動側（ＤＲ側）のラジアントチューブ４の交換を並行して行うことができ、天井クレーンの干渉を低減して、短時間に多数のラジアントチューブの交換を行うことが可能となる。
【００２６】
また、連続焼鈍炉７のロール駆動側（ＤＲ側）とロール非駆動側（ＯＰ側）のそれぞれの側部近傍に移動式縦置きラック５を設置することによって、より一層短時間に多数のラジアントチューブの交換を行うことが可能となる。
【００２７】
例えば、一度に３０本のラジアントチューブを交換する場合、従来は１２０時間かかっていたのに対して、この実施形態を適用することによって６０時間で達成することが可能になった。
【００２８】
なお、この実施形態では、ロール駆動側（ＤＲ側）にラジアントチューブ搬送専用ホイスト１を設置しているが、ロール非駆動側（ＯＰ側）にラジアントチューブ搬送専用ホイスト１を設置してもよい。また、ロール駆動側（ＤＲ側）とロール非駆動側（ＯＰ側）の両方にラジアントチューブ搬送専用ホイスト１を設置してもよい。
【００２９】
また、このラジアントチューブ搬送専用ホイスト１を用いて、ラジアントチューブ式加熱装置の他の部品（バーナ、レキュペレータ等）や作業工具（溶接機等）の吊り上げ、吊り下げを行うこともできる。
【符号の説明】
【００３０】
１  ホイスト（ラジアントチューブ搬送専用ホイスト）
２  ホイストレール
３  ホイストワイヤフック
４  ラジアントチューブ
５  移動式縦置きラック
６  移動式縦置きラックのコロ
７  連続焼鈍炉
８  天井クレーン
９  架構デッキ
【図１】
2014009875.tif 000003
【図２】
2014009875.tif 000004